(57)【要約】   【課題】     製造が容易であり、異なる光ディスクに対して互換可能に情報の記録及び／又は再生を行える光ピックアップ装置及びそれに用いる対物光学系を提供する。   【解決手段】   厚さｔ１と厚さｔ２との差に基づいて発生する球面収差を低減させるための第１位相構造が、第２光学素子Ｌ２の光源側の光学面に形成されているので、第２光学素子Ｌ２の光源側の光学面の光軸と、第１位相構造の光軸とを精度良く一致させることができ、それにより第１光学素子Ｌ１と第２光学素子Ｌ２との間に芯ズレが生じた場合でも、収差特性の劣化を抑制することができる。【選択図】    図２
2007087479.tif 000002
【特許請求の範囲】
【請求項１】
第１光源から出射される波長λ１の第１光束を用いて、厚さｔ１の保護層を有する第１光情報記録媒体の情報記録面に対して情報の記録及び／又は再生を行い、第２光源から出射される波長λ２（λ１＜λ２）の第２光束を用いて、厚さｔ２（ｔ２＞ｔ１）の保護層を有する第２光情報記録媒体の情報記録面に対して情報の記録及び／又は再生を行う光ピックアップ装置に用いることができる対物光学系において、
前記対物光学系は、光源側に配置される第１光学素子と、光情報記録媒体側に配置される正の屈折パワーを有する第２光学素子とが組み合わされて構成され、
前記厚さｔ１と前記厚さｔ２との差に基づいて発生する球面収差を低減させるための第１位相構造が、前記第２光学素子の光源側の光学面に形成されていることを特徴とする対物光学系。
【請求項２】
前記第１光学素子と前記第２光学素子がともにプラスチック製であることを特徴とする請求項１に記載の対物光学系。
【請求項３】
前記第１光学素子と前記第２光学素子のうち、いずれかの光学面に第２位相構造を有し、前記第１光束が前記波長λ１より＋５ｎｍ変化した際に、前記第１光情報記録媒体の記録情報面上での波面収差の変化量が０．０３１λ１ｒｍｓ以上０．０９５λ１ｒｍｓ以下を満たすと共に、
環境温度が設計基準温度より＋３０℃変化した際には、前記第１光情報記録媒体の情報記録面上での波面収差の変化量が０．０１０λ１ｒｍｓ以上０．０６０λ１ｒｍｓ以下を満たすことを特徴とする請求項１又は２に記載の対物光学系。
【請求項４】
前記第２位相構造は、前記第１光束が前記波長λ１より＋５ｎｍ変化した際に、前記第１光情報記録媒体の情報記録面上での波面収差の変化量が０．０３３λ１ｒｍｓ以上０．１２０λ１ｒｍｓ以下を満たすようにすると共に、
環境温度が設計基準温度より＋３０℃変化した際には、前記第１光情報記録媒体の情報記録面上での波面収差の変化量が０．０２０λ１ｒｍｓ以上０．０６０λ１ｒｍｓ以下を満たすような特性を有することを特徴とする請求項１又は２に記載の対物光学系。
【請求項５】
前記第２位相構造は、前記第１光束が前記波長λ１より＋１ｎｍ変化した際に生じる波面収差の変化量が、環境温度が設計基準温度より＋１０℃変化した際に生じる波面収差の変化量より大きくなり、且つ＋３０℃変化した際に生じる波面収差の変化量よりも小さくなるような特性を有することを特徴とする請求項３又は４に記載の対物光学系。
【請求項６】
前記第２位相構造は、前記第１光学素子の光源側の光学面、前記第１光学素子の光情報記録媒体側の光学面及び前記第２光学素子の光源側の光学面のうちのいずれかの光学面であることを特徴とする請求項３〜５のいずれかに記載の対物光学系。
【請求項７】
前記第１光学素子の屈折パワーをＰ１，前記第１光学素子と前記第２光学素子の合成パワーをＰとしたとき、以下の式を満たすことを特徴とする請求項１〜６のいずれかに記載の対物光学系。
０．０４  ＜  Ｐ１／Ｐ  ＜  ０．１５      （１）  
【請求項８】
前記第１位相構造は、前記波長λ１の第１光束が通過したときに、１次回折光の光量が最も高くなり、前記波長λ２の第２光束が通過したときに、１次回折光の光量が最も高くなる特性を有することを特徴とする請求項１〜７のいずれかに記載の対物光学系。
【請求項９】
前記第２位相構造は、それが形成される光学面において、光軸を中心とする複数の輪帯に分割され、隣り合う各輪帯は光軸と平行な所定の深さｄの段差で隔てられており、
前記波長λ１、λ２が以下の条件を満足するとき、
３９０ｎｍ＜λ１＜４２０ｎｍ      （２）
６４０ｎｍ＜λ２＜６８０ｎｍ      （３）
前記深さｄは、以下の条件式を満足することを特徴とする請求項３〜８のいずれかに記載の対物光学系。
１．７×λ１／｛ｎ（λ１）−１｝  ≦  ｄ  ≦  ２．３×λ１／｛ｎ（λ１）−１｝    （４）
ただし、ｎ（λ１）は前記第２位相構造を構成する材料の波長λ１における屈折率である。
【請求項１０】
前記第２位相構造は、それが形成される光学面において、光軸を中心とする複数の輪帯に分割され、隣り合う各輪帯は光軸と平行な所定の深さｄの段差で隔てられており、
前記波長λ１、λ２が以下の条件を満足するとき、
３９０ｎｍ＜λ１＜４２０ｎｍ      （５）
６４０ｎｍ＜λ２＜６８０ｎｍ      （６）
前記深さｄは、以下の条件式を満足することを特徴とする請求項３〜８のいずれかに記載の対物光学系。
４．７×λ１／｛ｎ（λ１）−１｝  ≦  ｄ  ≦  ５．３×λ１／｛ｎ（λ１）−１｝    （７）
ただし、ｎ（λ１）は前記第２位相構造を構成する材料の波長λ１における屈折率である。
【請求項１１】
第３光源から出射される波長λ３（λ２＜λ３）の第３光束を用いて、厚さｔ３の保護層を有する第３光情報記録媒体の情報記録面に対して情報の再生及び／又は記録を行うことが可能であって、
前記第１位相構造は、前記厚さｔ１と前記厚さｔ３との差に基づいて発生する球面収差を低減させる機能を有することを特徴とする請求項１〜６のいずれかに記載の対物光学系。
【請求項１２】
前記第１光学素子の屈折パワーをＰ１，前記第１光学素子と前記第２光学素子の合成パワーをＰとしたとき、以下の式を満たすことを特徴とする請求項１１に記載の対物光学系。
０．０４  ＜  Ｐ１／Ｐ  ＜  ０．１１    （８）  
【請求項１３】
前記厚さｔ１，ｔ２，ｔ３は、ｔ１≦ｔ２＜ｔ３を満たし、
前記第１位相構造は、前記波長λ１の第１光束が通過したときに、１次回折光の光量が最も高くなり、前記波長λ２の第２光束が通過したときに、１次回折光の光量が最も高くなり、前記波長λ３の第３光束が通過したときに、１次回折光の光量が最も高くなる特性を有していることを特徴とする請求項１１又は１２に記載の対物光学系。
【請求項１４】
前記第２位相構造は、それが形成される光学面において、光軸を中心とする複数の輪帯に分割され、隣り合う各輪帯は光軸と平行な所定の深さｄの段差で隔てられており、
前記波長λ１、λ２が以下の条件を満足するとき、
３９０ｎｍ＜λ１＜４２０ｎｍ      （９）
６４０ｎｍ＜λ２＜６８０ｎｍ      （１０）
７６０ｎｍ＜λ３＜８０５ｎｍ      （１１）
前記深さｄは、以下の条件式を満足することを特徴とする請求項１１〜１３のいずれかに記載の対物光学系。
１．７×λ１／｛ｎ（λ１）−１｝  ≦  ｄ  ≦  ２．３×λ１／｛ｎ（λ１）−１｝    （１２）
ただし、ｎ（λ１）は前記第２位相構造を構成する材料の波長λ１における屈折率である。
【請求項１５】
前記第２位相構造は、それが形成される光学面において、光軸を中心とする複数の輪帯に分割され、隣り合う各輪帯は光軸と平行な所定の深さｄの段差で隔てられており、
前記波長λ１、λ２が以下の条件を満足するとき、
３９０ｎｍ＜λ１＜４２０ｎｍ      （１３）
６４０ｎｍ＜λ２＜６８０ｎｍ      （１４）
７６０ｎｍ＜λ３＜８０５ｎｍ      （１５）
前記深さｄは、以下の条件式を満足することを特徴とする請求項１１〜１３のいずれかに記載の対物光学系。
９．７×λ１／｛ｎ（λ１）−１｝  ≦  ｄ  ≦  １０．３×λ１／｛ｎ（λ１）−１｝    （１６）
ただし、ｎ（λ１）は前記第２位相構造を構成する材料の波長λ１における屈折率である。
【請求項１６】
請求項１〜１５に記載の対物光学系を有することを特徴とする光ピックアップ装置。
【発明の詳細な説明】
【技術分野】
【０００１】
本発明は、対物光学系及び光ピックアップ装置に関し、特にプラスチック製の複数のレンズを用いてなる対物光学系及びそれを用いた光ピックアップ装置に関する。
【背景技術】
【０００２】
近年、波長４００ｎｍ程度の青紫色半導体レーザを用いて、情報の記録／再生を行える高密度光ディスクシステムの研究・開発が急速に進んでいる。一例として、ＮＡ０．８５、光源波長４０５ｎｍの仕様で情報記録／再生を行う光ディスク、いわゆるＢｌｕ−ｒａｙ  Ｄｉｓｃ（以下、ＢＤという）では、ＤＶＤ（ＮＡ０．６、光源波長６５０ｎｍ、記憶容量４、７ＧＢ）と同じ大きさである直径１２ｃｍの光ディスクに対して、１層あたり２３〜２７ＧＢの情報の記録が可能であり、又、ＮＡ０．６５、光源波長４０５ｎｍの仕様で情報記録／再生を行う光ディスク、いわゆるＨＤ  ＤＶＤ（以下、ＨＤという）では、直径１２ｃｍの光ディスクに対して、１層あたり１５〜２０ＧＢの情報の記録が可能である。尚、ＢＤでは、光ディスクの傾き（スキュー）に起因して発生するコマ収差が増大するため、ＤＶＤにおける場合よりも保護層を薄く設計し（ＤＶＤの０．６ｍｍに対して、０．１ｍｍ）、スキューによるコマ収差量を低減している。以下、本明細書では、このような光ディスクを「高密度光ディスク」と呼ぶ。
【０００３】
ところで、プラスチック製のレンズは、ガラス製のレンズと比較して、低温（１２０℃程度）での射出成形が可能であり、金型の寿命も長く確保できると共に、材料費も安価であるので、低コストで安定した精度を維持しながら大量生産できるという利点がある。そこで、特許文献１においては、開口数ＮＡ０．８５を実現できるプラスチック製の単レンズからなる光ピックアップ装置用の対物光学系を提案している。
【０００４】
しかるに、プラスチック製の単レンズは、以上のような利点を有するが、一方で、温度変化に伴う屈折率変化により発生する球面収差が大きくなるという問題がある。これは、屈折率変化に伴いプラスチック製の単レンズで発生する球面収差変化が、開口数の４乗（ＮＡ4）に比例して増加するためであり、特に高開口数を実現するために、曲率が大きい光学面を形成した場合、球面収差がより増大する傾向がある。なお、以下の説明においては、温度変化時の光学素子の特性を「温度特性」ということがある。
【特許文献１】特開２００１−３２４６７３号公報
【特許文献２】国際公開第０２／４１３０７号パンフレット
【発明の開示】
【発明が解決しようとする課題】
【０００５】
一方、プラスチック製のレンズの温度特性を補正する技術として、単レンズの光学面に、回折構造と光軸方向に延びる複数の微小段差構造（ＮＰＳ：ｎｏｎ−ｐｅｒｉｏｄｉｃ ｐｈａｓｅ ｓｔｒｕｃｔｕｒｅ）を設けることで、温度特性の補正を行う技術が、例えば特許文献２に記載されている。このような段差構造を光学面に設けることで、温度特性を向上させることができる。
【０００６】
ところで、ＢＤ、ＤＶＤ、ＣＤにおける情報記録面上に設けられた保護層の厚さは、それぞれｔ１＝０．１ｍｍ、ｔ２＝０．６ｍｍ、ｔ３＝１．２ｍｍと異なっているため、共通する対物レンズを用いて、いずれかの光ディスクにおいて最適に集光を行うえるように仕様を定めると、他の光ディスクに対する集光においては、保護層の厚さに起因した球面収差が発生するという問題がある。しかるに、異なる光ディスクに対して情報の記録及び／又は再生を行う際には、異なる波長の光束を用いることができるので、対物レンズに形成した光路差付与構造を用いて波長に応じた光路差を与えることで、保護層の厚さに起因した球面収差を補正することができる。
【０００７】
しかしながら、上述したように、温度特性を補正する回折構造やＮＰＳと共に、保護層厚の差を補正する光路差付与構造を、単玉の対物レンズに重畳して設けた場合、その光学面の形状が複雑となって、高精度な光学面の形成が困難となる恐れがある。そこで、対物レンズを複数の光学素子から形成し、それぞれの光学素子の光学面に、温度特性を補正する回折構造やＮＰＳと共に、保護層厚の差を補正する光路差付与構造を形成することが企画されている。しかるに、対物レンズを例えば２つの光学素子から構成する場合、光源側の第１の光学素子には、殆ど屈折パワーを持たせず、光ディスク側の第２の光学素子には、正の屈折パワーを持たせるのが好ましいが、第１の光学素子に、保護層厚の差を補正する光路差付与構造を形成すると、第２の光学素子との芯ズレにより収差特性が劣化する恐れがある。
【０００８】
本発明は、かかる従来技術の問題点に鑑みてなされたものであり、製造が容易であり、異なる光ディスクに対して互換可能に情報の記録及び／又は再生を行える光ピックアップ装置及びそれに用いる対物光学系を提供することを目的とする。
【課題を解決するための手段】
【０００９】
請求項１に記載の対物光学系は、第１光源から出射される波長λ１の第１光束を用いて、厚さｔ１の保護層を有する第１光情報記録媒体の情報記録面に対して情報の記録及び／又は再生を行い、第２光源から出射される波長λ２（λ１＜λ２）の第２光束を用いて、厚さｔ２（ｔ２＞ｔ１）の保護層を有する第２光情報記録媒体の情報記録面に対して情報の記録及び／又は再生を行う光ピックアップ装置に用いることができる対物光学系において、
前記対物光学系は、光源側に配置される第１光学素子と、光情報記録媒体側に配置される正の屈折パワーを有する第２光学素子とが組み合わされて構成され、
前記厚さｔ１と前記厚さｔ２との差に基づいて発生する球面収差を低減させるための第１位相構造が、前記第２光学素子の光源側の光学面に形成されていることを特徴とする。
【００１０】
本発明によれば、前記厚さｔ１と前記厚さｔ２との差に基づいて発生する球面収差を低減させるための第１位相構造が、前記第２光学素子の光源側の光学面に形成されているので、前記第２光学素子の光源側の光学面の光軸と、前記第１位相構造の光軸とを精度良く一致させることができ、それにより前記第１光学素子と前記第２光学素子との間に芯ズレが生じた場合でも、収差特性の劣化を抑制することができる。
【００１１】
本明細書において、「位相構造」とは、光軸方向の段差を複数有し、入射光束に対して光路差（位相差）を付加する構造の総称である。この段差により入射光束に付加される光路差は、入射光束の波長の整数倍であっても良いし、入射光束の波長の非整数倍であっても良い。このような位相構造の具体的な例としては、上記の段差が光軸垂直方向に周期的な間隔をもって配置された回折構造や、上記の段差が光軸垂直方向に非周期的な間隔をもって配置された光路差付与構造（位相差付与構造ともいう）である。
【００１２】
請求項２に記載の対物光学系は、請求項１に記載の発明において、前記第１光学素子と前記第２光学素子がともにプラスチック製であることを特徴とするので、大量生産による低コスト化を図れ、軽量化を図ることができる。
【００１３】
請求項３に記載の対物光学系は、請求項１又は２に記載の発明において、前記第１光学素子と前記第２光学素子のうち、いずれかの光学面に第２位相構造を有し、前記第１光束が前記波長λ１より＋５ｎｍ変化した際に、前記第１光情報記録媒体の記録情報面上での波面収差の変化量が０．０３１λ１ｒｍｓ以上０．０９５λ１ｒｍｓ以下を満たすと共に、
環境温度が設計基準温度より＋３０℃変化した際には、前記第１光情報記録媒体の情報記録面上での波面収差の変化量が０．０１０λ１ｒｍｓ以上０．０６０λ１ｒｍｓ以下を満たすことを特徴とする。
【００１４】
対物光学系の前記第１光学素子と前記第２光学素子とをプラスチックから構成した場合、各光学素子に正の屈折パワーを持たせることによって、温度特性を改善することができる。しかるに、屈折パワーを各光学素子に分散しただけでは、温度特性は十分に改善できない場合もある。特に、光源側の凸レンズの屈折パワーを高めると、対物光学系のワーキングディスタンスが短くなるので、光ピックアップ装置への搭載上の制限が生じることになる。
【００１５】
これに対し、例えば後述するように、回折構造に代表される光路差付与構造などの位相構造等を用いて、更に温度特性を改善することができる。しかしながら、温度特性の向上に反して、波長特性が悪化する場合もあり、温度特性と波長特性とを、いかにして両立するかが重要である。そこで、前記第１光束が前記波長λ１より＋５ｎｍ変化した際に、前記第１光情報記録媒体の情報記録面上での波面収差の変化量が０．０３１λ１ｒｍｓ以上０．０９５λ１ｒｍｓ以下を満たすと共に、環境温度が設計基準温度より＋３０℃変化した際には、前記第１光情報記録媒体の情報記録面上での波面収差の変化量が０．０１０λ１ｒｍｓ以上０．０６０λ１ｒｍｓ以下を満たすように、前記対物光学系の温度特性と波長特性とをバランスさせることで、コストを抑えながらトータルで良好な光学特性を光ピックアップ装置用対物光学系に付与している。なお、「環境温度」とは、前記対物光学系が配置された雰囲気の温度をいう。
【００１６】
請求項４に記載の対物光学系は、請求項１又は２の記載の発明において、前記第２位相構造は、前記第１光束が前記波長λ１より＋５ｎｍ変化した際に、前記第１光情報記録媒体の情報記録面上での波面収差の変化量が０．０３３λ１ｒｍｓ以上０．１２０λ１ｒｍｓ以下を満たすようにすると共に、
環境温度が設計基準温度より＋３０℃変化した際には、前記第１光情報記録媒体の情報記録面上での波面収差の変化量が０．０２０λ１ｒｍｓ以上０．０６０λ１ｒｍｓ以下を満たすような特性を有することを特徴とする。
【００１７】
この対物光学系によれば、前記第１光束が前記波長λ１より＋５ｎｍ変化した際に、前記第１光情報記録媒体の情報記録面上での波面収差の変化量が０．０３３λ１ｒｍｓ以上０．１２０λ１ｒｍｓ以下を満たすと共に、環境温度が設計基準温度より＋３０℃変化した際には、前記第１光情報記録媒体の情報記録面上での波面収差の変化量が０．０２０λ１ｒｍｓ以上０．０６０λ１ｒｍｓ以下を満たす第１位相構造を設けることにより、温度特性と波長特性とをバランスさせることで、コストを抑えながらトータルで良好な光学特性を光ピックアップ装置用の対物光学系に付与している。
【００１８】
また、本明細書においては、「第２位相構造」は、光軸を含む中心領域と該中心領域の外側に微細な段差をもって分割された複数の輪帯とから構成される構造であって、所定の温度においては、隣接する輪帯を透過する波面間で入射光束の波長の整数倍の光路差を発生し、温度が前記所定の温度から変化した場合においては、屈折率の変化に伴い、隣接する輪帯を透過する波面間で発生する光路差が入射光束の波長の整数倍からずれるような特性を有する構造を指す。
【００１９】
請求項５に記載の対物光学系は、請求項３又は４に記載の発明において、前記第２位相構造は、前記第１光束が前記波長λ１より＋１ｎｍ変化した際に生じる波面収差の変化量が、環境温度が設計基準温度より＋１０℃変化した際に生じる波面収差の変化量より大きくなり、且つ＋３０℃変化した際に生じる波面収差の変化量よりも小さくなるような特性を有することを特徴とする。
【００２０】
この対物光学系によれば、前記第２位相構造を設けることによって、前記対物光学系の温度特性は改善されるが、それに反して波長特性が悪化することに鑑みて、前記第１光束が前記波長λ１より＋１ｎｍ変化した際に生じる波面収差の変化量が、環境温度が設計基準温度より＋１０℃変化した際に生じる波面収差の変化量より大きくなり、且つ＋３０℃変化した際に生じる波面収差の変化量よりも小さくなるように、前記第２位相構造の温度特性と波長特性とをバランスさせることで、コストを抑えながらトータルで良好な光学特性を光ピックアップ装置用の対物光学系に付与している。
【００２１】
請求項６に記載の対物光学系は、請求項３〜５のいずれかに記載の発明において、前記第２位相構造は、前記第１光学素子の光源側の光学面、前記第１光学素子の光情報記録媒体側の光学面及び前記第２光学素子の光源側の光学面のうちのいずれかの光学面であることを特徴とする。なお、温度特性と波長特性とを改善する第２位相構造は、保護層の厚さに起因する収差を補正する第１位相構造よりも偏心感度が低いので、前記第１光学素子に設けられると好ましいが、芯ズレを回避する観点からは、前記第２光学素子の光源側の光学面に前記第１位相構造と重畳して設けることがより好ましい。
【００２２】
請求項７に記載の対物光学系は、請求項１〜６のいずれかに記載の発明において、前記第１光学素子の屈折パワーをＰ１，前記第１光学素子と前記第２光学素子の合成パワーをＰとしたとき、以下の式を満たすことを特徴とする。
０．０４  ＜  Ｐ１／Ｐ  ＜  ０．１５      （１）  
【００２３】
P1／Pを上式（１）の下限より大きくすることで、前記対物光学系が設計基準温度から＋30度温度変化した場合や、前記光源の発振波長が基準波長から＋5nm変化した場合でも球面収差を良好に抑えることができ、これを用いた光ピックアップ装置において情報の記録及び／又は再生を適切に行うことが出来る。又、前記対物光学系全系の屈折パワーに対する前記第1レンズの屈折パワーを大きくすると、温度変化時、波長変化時に変化する波面収差量は小さくすることが出来る一方で、ワーキングディスタンス（作動距離）が小さくなる傾向があることは上述したが、上式（１）の上限より小さくすることにより、十分長い作動距離を確保することが出来る。
【００２４】
更に、前記第１光学素子にパワーを持たせることで、合成パワーを確保したまま、前記第２光学素子のパワーを弱めることができ、それにより前記第２光学素子の光学面の曲率を大きくすることで、微細形状を有する前記第１位相構造を形成しやすくできる。
【００２５】
請求項８に記載の対物光学系は、請求項１〜７のいずれかに記載の発明において、前記第１位相構造は、前記波長λ１の第１光束が通過したときに、１次回折光の光量が最も高くなり、前記波長λ２の第２光束が通過したときに、１次回折光の光量が最も高くなる特性を有することを特徴とするので、保護層の厚さに起因して生じる球面収差を補正することができる。
【００２６】
請求項９に記載の対物光学系は、請求項３〜８のいずれかに記載の発明において、前記第２位相構造は、それが形成される光学面において、光軸を中心とする複数の輪帯に分割され、隣り合う各輪帯は光軸と平行な所定の深さｄの段差で隔てられており、
前記波長λ１、λ２が以下の条件を満足するとき、
３９０ｎｍ＜λ１＜４２０ｎｍ      （２）
６４０ｎｍ＜λ２＜６８０ｎｍ      （３）
前記深さｄは、以下の条件式を満足することを特徴とする。
１．７×λ１／｛ｎ（λ１）−１｝  ≦  ｄ  ≦  ２．３×λ１／｛ｎ（λ１）−１｝    （４）
ただし、ｎ（λ１）は前記第２位相構造を構成する材料の波長λ１における屈折率である。
【００２７】
前記第２位相構造の段差を、隣り合う輪帯同士、基準状態で波長λ１についてほぼ2波長分の光路差を付与するようにすると、温度が設計基準温度から変化した場合や、波長が基準波長から変化した場合に発生する波長λ１の光束に対する波面収差をフリンジZernike多項式の３６項まででフィットした際のフィットエラーを小さくすることが出来る。
【００２８】
請求項１０に記載の対物光学系は、請求項３〜８のいずれかに記載の発明において、前記第２位相構造は、それが形成される光学面において、光軸を中心とする複数の輪帯に分割され、隣り合う各輪帯は光軸と平行な所定の深さｄの段差で隔てられており、
前記波長λ１、λ２が以下の条件を満足するとき、
３９０ｎｍ＜λ１＜４２０ｎｍ      （５）
６４０ｎｍ＜λ２＜６８０ｎｍ      （６）
前記深さｄは、以下の条件式を満足することを特徴とする。
４．７×λ１／｛ｎ（λ１）−１｝  ≦  ｄ  ≦  ５．３×λ１／｛ｎ（λ１）−１｝    （７）
ただし、ｎ（λ１）は前記第２位相構造を構成する材料の波長λ１における屈折率である。
【００２９】
前記第２位相構造の段差を、隣り合う輪帯同士、基準状態で波長λ１についてほぼ5波長分の光路差を付与するようにすると、設計基準温度、基準波長状態での波長λ２の光束に対する波面収差をフリンジZernike多項式の３６項まででフィットした際のフィットエラーを小さくすることが出来る。
【００３０】
請求項１１に記載の対物光学系は、請求項１又は２に記載の発明において、第３光源から出射される波長λ３（λ２＜λ３）の第３光束を用いて、厚さｔ３の保護層を有する第３光情報記録媒体の情報記録面に対して情報の再生及び／又は記録を行うことが可能であって、
前記第１位相構造は、前記厚さｔ１と前記厚さｔ３との差に基づいて発生する球面収差を低減させる機能を有することを特徴とするので、例えば高密度光ディスク、ＤＶＤ、ＣＤなど３種類の光情報記録媒体に対して適切に情報の記録及び／又は再生を行うことができる。
【００３１】
請求項１２に記載の対物光学系は、請求項１１に記載の発明において、前記第１光学素子の屈折パワーをＰ１，前記第１光学素子と前記第２光学素子の合成パワーをＰとしたとき、以下の式を満たすことを特徴とする。
０．０４  ＜  Ｐ１／Ｐ  ＜  ０．１１    （８）  
【００３２】
P1／Pを上式（８）の下限より大きくすることで、前記対物光学系が設計基準温度から＋30度温度変化した場合や、前記光源の発振波長が基準波長から＋5nm変化した場合でも球面収差を良好に抑えることができ、これを用いた光ピックアップ装置において情報の記録及び／又は再生を適切に行うことが出来る。又、前記対物光学系全系の屈折パワーに対する前記第1レンズの屈折パワーを大きくすると、温度変化時に変化する波面収差量は小さくすることが出来る一方で、ワーキングディスタンスが小さくなる傾向があることは上述したが、上式（８）の上限より小さくすることにより、前記波長λ３の前記第３光束を考慮した上でも、必要な作動距離を確保することが出来る。
【００３３】
請求項１３に記載の対物光学系は、請求項１１又は１２に記載の発明において、
前記厚さｔ１，ｔ２，ｔ３は、ｔ１≦ｔ２＜ｔ３を満たし、
前記第１位相構造は、前記波長λ１の第１光束が通過したときに、１次回折光の光量が最も高くなり、前記波長λ２の第２光束が通過したときに、１次回折光の光量が最も高くなり、前記波長λ３の第３光束が通過したときに、１次回折光の光量が最も高くなる特性を有していることを特徴とするので、例えば高密度光ディスク、ＤＶＤ、ＣＤなど３種類の光情報記録媒体に対して適切に情報の記録及び／又は再生を行うことができる。
【００３４】
請求項１４に記載の対物光学系は、請求項１１〜１３のいずれかに記載の発明において、前記第２位相構造は、それが形成される光学面において、光軸を中心とする複数の輪帯に分割され、隣り合う各輪帯は光軸と平行な所定の深さｄの段差で隔てられており、
前記波長λ１、λ２が以下の条件を満足するとき、
３９０ｎｍ＜λ１＜４２０ｎｍ      （９）
６４０ｎｍ＜λ２＜６８０ｎｍ      （１０）
７６０ｎｍ＜λ３＜８０５ｎｍ      （１１）
前記深さｄは、以下の条件式を満足することを特徴とする。
１．７×λ１／｛ｎ（λ１）−１｝  ≦  ｄ  ≦  ２．３×λ１／｛ｎ（λ１）−１｝    （１２）
ただし、ｎ（λ１）は前記第２位相構造を構成する材料の波長λ１における屈折率である。
【００３５】
前記第２位相構造の段差を、隣り合う輪帯同士、基準状態で波長λ１についてほぼ2波長分の光路差を付与するようにすると、温度が設計基準温度から変化した場合や、波長が基準波長から変化した場合に発生する波長λ１の光束に対する波面収差をフリンジZernike多項式の３６項まででフィットした際のフィットエラーを小さくすることが出来る。
【００３６】
請求項１５に記載の対物光学系は、請求項１１〜１３のいずれかに記載の発明において、前記第２位相構造は、それが形成される光学面において、光軸を中心とする複数の輪帯に分割され、隣り合う各輪帯は光軸と平行な所定の深さｄの段差で隔てられており、
前記波長λ１、λ２が以下の条件を満足するとき、
３９０ｎｍ＜λ１＜４２０ｎｍ      （１３）
６４０ｎｍ＜λ２＜６８０ｎｍ      （１４）
７６０ｎｍ＜λ３＜８０５ｎｍ      （１５）
前記深さｄは、以下の条件式を満足することを特徴とする。
９．７×λ１／｛ｎ（λ１）−１｝  ≦  ｄ  ≦  １０．３×λ１／｛ｎ（λ１）−１｝    （１６）
ただし、ｎ（λ１）は前記第２位相構造を構成する材料の波長λ１における屈折率である。
【００３７】
前記第２位相構造の段差を、隣り合う輪帯同士、基準状態で波長λ１についてほぼ１０波長分の光路差を付与するようにすると、温度が設計基準温度から変化した場合や、波長が基準波長から変化した場合に発生する波長λ１の光束に対する波面収差をフリンジZernike多項式の３６項まででフィットした際のフィットエラーを小さくすることが出来る。
【００３８】
請求項１６に記載の光ピックアップ装置は、請求項１〜１５に記載の対物光学系を有することを特徴とする。
【００３９】
本明細書中において、対物光学系とは、光ピックアップ装置に光情報記録媒体を装填した状態において、最も光情報記録媒体側の位置で、これと対向すべく配置される集光作用を有するレンズを含む光学系を指し、そのレンズと共に、アクチュエータによって少なくともその光軸方向に作動可能なレンズ群を指すものとする。
【発明の効果】
【００４０】
本発明によれば、製造が容易であり、異なる光ディスクに対して互換可能に情報の記録及び／又は再生を行える光ピックアップ装置及びそれに用いる対物光学系を提供することができる。
【発明を実施するための最良の形態】
【００４１】
以下、本発明の実施の形態を図面を参照して説明する。図１は、異なる光情報記録媒体（光ディスクともいう）であるＢＤとＤＶＤとＣＤに対して適切に情報の記録／再生を行える本実施の形態の光ピックアップ装置ＰＵ１の構成を概略的に示す図である。かかる光ピックアップ装置ＰＵ１は、光情報記録再生装置に搭載できる。ここでは、第１光情報記録媒体をＢＤとし、第２光情報記録媒体をＤＶＤとし、第３光情報記録媒体をＣＤとするが、第１光情報記録媒体はＨＤであっても良い。
【００４２】
光ピックアップ装置ＰＵ１は、ＢＤに対して情報の記録／再生を行う場合に発光され４０５ｎｍの青紫色レーザ光束（第１光束）を射出する青紫色半導体レーザＬＤ１、ＤＶＤに対して情報の記録／再生を行う場合に発光され６５８ｎｍの赤色レーザ光束（第２光束）を射出する第１の発光点ＥＰ１と、ＣＤに対して情報の記録／再生を行う場合に発光され７８３ｎｍの赤外レーザ光束（第３光束）を射出する第２の発光点ＥＰ２とを一つのチップ上に形成したＤＶＤ／ＣＤ用レーザ光源ユニットＬＵ、ＢＤ／ＤＶＤ／ＣＤ共用の光検出器ＰＤ、鏡枠で一体的に固定された第１光学素子Ｌ１と第２光学素子Ｌ２とからなりレーザ光束を情報記録面ＲＬ１、ＲＬ２、ＲＬ３上に集光させる機能を有する対物光学系ＯＵ、２軸アクチュエータＡＣ１、カップリングレンズＣＵＬ、第１偏光ビームスプリッタＢＳ１、第２偏光ビームスプリッタＢＳ２、λ／４波長板ＱＷＰ、情報記録面ＲＬ１、ＲＬ２及びＲＬ３からの反射光束に対して非点収差を付加するためのセンサーレンズＳＥＮとから構成されている。尚、ＢＤ用の光源として、上述の青紫色半導体レーザＬＤ１の他に青紫色ＳＨＧレーザを使用することもできる。
【００４３】
光ピックアップ装置ＰＵ１において、ＢＤに対して情報の記録／再生を行う場合には、青紫色半導体レーザＬＤ１を発光させる。青紫色半導体レーザＬＤ１から射出された発散光束は、図１において実線でその光線経路を描いたように、第１偏光ビームスプリッタＢＳ１により反射され、第２偏光ビームスプリッタＢＳ２を通過した後、カップリングレンズＣＵＬにより平行光束に変換され、λ／４波長板ＱＷＰを通過し、図示しない絞りＳＴＯにより光束径が規制され、対物光学系ＯＵによってＢＤの保護層ＰＬ１を介して情報記録面ＲＬ１上に形成されるスポットとなる。対物光学系ＯＵは、その周辺に配置された２軸アクチュエータＡＣ１によってフォーカシングやトラッキングを行う。
【００４４】
情報記録面ＲＬ１で情報ピットにより変調された反射光束は、再び対物光学系ＯＵ及びλ／４波長板ＱＷＰを透過した後、カップリングレンズＣＵＬを通過する際に収斂光束となり、第２偏光ビームスプリッタＢＳ２、第１偏光ビームスプリッタＢＳ１を透過した後、センサーレンズＳＥＮにより非点収差が付加され、光検出器ＰＤの受光面上に収束する。そして、光検出器ＰＤの出力信号を用いてＢＤに記録された情報を読み取ることができる。
【００４５】
また、光ピックアップ装置ＰＵ１において、ＤＶＤに対して情報の記録／再生を行う場合には、第１の発光点ＥＰ１を発光させる。第１の発光点ＥＰ１から射出された発散光束は、図１において破線でその光線経路を描いたように、第２偏光ビームスプリッタＢＳ２により反射され、カップリングレンズＣＵＬにより平行光束に変換された後、λ／４波長板ＱＷＰを通過し、対物光学系ＯＵによってＤＶＤの保護層ＰＬ２を介して情報記録面ＲＬ２上に形成されるスポットとなる。対物光学系ＯＵは、その周辺に配置された２軸アクチュエータＡＣ１によってフォーカシングやトラッキングを行う。
【００４６】
情報記録面ＲＬ２で情報ピットにより変調された反射光束は、再び対物光学系ＯＵ及びλ／４波長板ＱＷＰを透過した後、カップリングレンズＣＵＬを通過する際に収斂光束となり、第２偏光ビームスプリッタＢＳ２、第１偏光ビームスプリッタＢＳ１を透過した後、センサーレンズＳＥＮにより非点収差が付加され、光検出器ＰＤの受光面上に収束する。そして、光検出器ＰＤの出力信号を用いてＤＶＤに記録された情報を読み取ることができる。
【００４７】
また、光ピックアップ装置ＰＵ１において、ＣＤに対して情報の記録／再生を行う場合には、第２の発光点ＥＰ２を発光させる。第２の発光点ＥＰ２から射出された発散光束は、図１において一点鎖線でその光線経路を描いたように、第２偏光ビームスプリッタＢＳ２により反射され、カップリングレンズＣＵＬにより有限発散光束に変換された後、λ／４波長板ＱＷＰを通過し、対物光学系ＯＵによってＣＤの保護層ＰＬ３を介して情報記録面ＲＬ３上に形成されるスポットとなる。対物光学系ＯＵは、その周辺に配置された２軸アクチュエータＡＣ１によってフォーカシングやトラッキングを行う。
【００４８】
情報記録面ＲＬ３で情報ピットにより変調された反射光束は、再び対物光学系ＯＵ及びλ／４波長板ＱＷＰを透過した後、カップリングレンズＣＵＬを通過する際に収斂光束となり、第２偏光ビームスプリッタＢＳ２、第１偏光ビームスプリッタＢＳ１を透過した後、センサーレンズＳＥＮにより非点収差が付加され、光検出器ＰＤの受光面上に収束する。そして、光検出器ＰＤの出力信号を用いてＣＤに記録された情報を読み取ることができる。
【００４９】
対物光学系ＯＵの第１光学素子Ｌ１は、光源側の光学面が平面で且つ光ディスク側（光情報記録媒体側ともいう）の光学面が凸状の非球面か、或いは両方の光学面が凸状の非球面となっている。本実施の形態では、第１光学素子Ｌ１の光源側に第２位相構造を形成しており、第２光学素子Ｌ２の光源側に第１位相構造を設けている。
【００５０】
（実施例） 
以下、本実施の形態に好適な実施例について説明する。尚、これ以降（表のレンズデータ含む）において、１０のべき乗数（例えば、２．５×１０-3）を、Ｅ（例えば、２．５Ｅ―３）を用いて表すものとする。
【００５１】
対物光学系の光学面は、それぞれ数１式に、表に示す係数を代入した数式で規定される、光軸の周りに軸対称な非球面に形成されている。 
【００５２】
【数１】
2007087479.tif 000003
【００５３】
また、回折構造（位相構造）により各波長の光束に対して与えられる光路差は、数２式の光路差関数に、表に示す係数を代入した数式で規定される。 
【００５４】
【数２】
2007087479.tif 000004
【００５５】
（実施例１）
実施例１のレンズデータ（設計波長、焦点距離、像面側開口数、倍率を含む）を表１に示す。実施例１の対物光学系の断面を図２に示す。実施例１は、光源側の光学面が平面で且つ光ディスク側の光学面が凸状の非球面である。なお、表中、第1位相構造の欄において、iは輪帯番号、ｈi-1は輪帯が始まる光軸垂直方向の光軸からの高さ、hiは輪帯が終了する光軸垂直方向の光軸からの高さ、光軸方向の段差は光源から保護層に向かう方向を正とする。
【００５６】
【表１】
2007087479.tif 000005
【００５７】
実施例１において、請求項に規定する値を表２にまとめて示す。なお、設計基準温度は、ここでは２５℃としている。
【００５８】
【表２】
2007087479.tif 000006
【００５９】
本発明は、以上の実施の形態及び実施例に限られない。第２位相構造は、第１光学素子の光源側の光学面、第１光学素子の光情報記録媒体側の光学面及び第２光学素子の光源側の光学面のうちのいずれかに設けられても良い。又、温度変化に対する屈折率変化が小さい樹脂やガラスを用いて第２光学素子を形成した場合、必ずしも第２位相構造を設ける必要はない。又、高密度光ディスクのみに対して情報の記録及び／又は再生を行える光ピックアップ装置、或いは高密度光ディスクとＤＶＤ又はＣＤに対して互換可能に情報の記録及び／又は再生を行える光ピックアップ装置にも、本発明の対物光学系を適用できる。
【図面の簡単な説明】
【００６０】
【図１】本実施の形態の光ピックアップ装置の構成を概略的に示す図である。
【図２】実施例１の対物光学系の断面図であるが、第１光学素子と第２光学素子とを固定する鏡枠は省略している。
【符号の説明】
【００６１】
ＡＣ１ ２軸アクチュエータ
ＢＳ１ 偏光ビームスプリッタ
ＢＳ２ 偏光ビームスプリッタ
ＣＵＬ カップリングレンズ
ＥＰ１ 発光点
ＥＰ２ 発光点
Ｌ１ 第１光学素子
Ｌ２ 第２光学素子
ＬＤ１ 青紫色半導体レーザ
ＬＵ レーザ光源ユニット
ＯＵ 対物光学系
ＰＤ 光検出器
ＰＵ１ 光ピックアップ装置
ＱＷＰ λ／４波長板
ＳＥＮ センサーレンズ
ＳＴＯ 絞り
【図１】
2007087479.tif 000007
【図２】
2007087479.tif 000008